(57)【要約】ガスミストの供給圧を上昇させるためのガス導入部をガスミスト生成器と一体にして、構造の簡易化と低コスト化を実現できるガスミスト吸入器を提供する。ガス供給手段１０と、ガスミスト生成手段３０と、吸入部材５０とを備えるガスミスト吸入器であり、ガスミスト生成手段３０が、ガス供給手段１０との接続部と、その接続部からのガス流を分岐させる分岐部と、液体貯留部と、分岐部で分岐された一方のガス流を吐出するノズルと、そのノズル先端に液体を送る吸液管と、ノズルが吐出するガス流によって吹き上げられた液体を衝突させてガスミストを生成する衝突部材と、生成されたガスミストに上方からガスを合流させる合流部と、分岐部で分岐された他方のガス流を合流部まで導くガス導入部と、生成されたガスミスト及びガスを収集し排出するガスミスト排出部と、を一体的に形成して備える。
2013065776.tif 000002
【特許請求の範囲】
【請求項１】
酸素、炭酸ガス、又は酸素と炭酸ガスの混合ガス（以下、「ガス」という）を供給するガス供給手段と、
該ガス供給手段から供給されたガスと、内部に貯留された液体とを粉砕溶解させたミスト（以下、「ガスミスト」という）を生成し、前記ガスと混合した状態で供給するガスミスト生成手段と、
該ガスミスト生成手段と接続され、前記ガスミストを生体に吸入させるための吸入口を有する吸入部材と、を備え、
前記ガスミスト生成手段が、
前記ガス供給手段との接続部と、
該接続部からのガス流を分岐させる分岐部と、
前記液体を貯留する液体貯留部と、前記分岐部で分岐された一方のガス流を吐出するノズルと、
該ノズル先端に前記液体を送る吸液管と、
前記ノズルが吐出するガス流によって吹き上げられた液体を衝突させてガスミストを生成する衝突部材と、
生成された前記ガスミストに上方からガスを合流させる合流部と、
前記分岐部で分岐された他方のガス流を前記合流部まで導くガス導入部と、
生成された前記ガスミスト及びガスを収集し排出するガスミスト排出部と、
を一体的に形成して備えることを特徴とするガスミスト吸入器。
【請求項２】
前記ガスミスト生成手段において、少なくとも前記液体貯留部を取り外し可能にして、他の液体貯留部と取替え可能に構成することを特徴とする請求項１に記載のガスミスト吸入器。
【請求項３】
前記ガスミスト生成手段が、外気を取り込むための通気孔を備えることを特徴とする請求項１又は２に記載のガスミスト吸入器。
【請求項４】
前記吸入部材が、外気を取り込むための開口をさらに有することを特徴とする請求項１乃至３の何れか一項に記載のガスミスト吸入器。
【請求項５】
前記ガス供給手段が、カートリッジ式ガスボンベであることを特徴とする請求項１乃至４の何れか一項に記載のガスミスト吸入器。
【請求項６】
前記ガス供給手段が、ガス供給時間設定部、ガス供給圧調整部、ガス混合比設定部の何れか一つ又は複数を備えることを特徴とする請求項１乃至５の何れか一項に記載のガスミスト吸入器。
【請求項７】
前記ガスミスト生成手段が、複数の前記吸入部材にガスミストを供給することを特徴とする請求項６に記載のガスミスト吸入器。
【請求項８】
前記液体は、水、イオン水、オゾン水、生理食塩水、精製水、又は滅菌精製水の何れか一つ又は複数の組み合わせであることを特徴とする請求項１に記載のガスミスト吸入器。
【請求項９】
前記ガスミスト生成手段から前記吸入部材内に供給される前記ミストの粒径が、１０μｍ以下であることを特徴とする請求項１に記載のガスミスト吸入器。
【請求項１０】
前記ガスミスト生成手段が、前記吸入部材へガスミスト及びガスを供給するためのガスミスト供給管を有し、
該ガスミスト供給管が、管内に付着する液滴を除去するためのフィルターを備えることを特徴とする請求項１に記載のガスミスト吸入器。
【請求項１１】
前記ガスミスト生成手段が、前記吸入部材へガスミスト及びガスを供給するためのガスミスト供給管を有し、
該ガスミスト供給管の全部又は一部がジャバラ状の管から構成されることを特徴とする請求項１に記載のガスミスト吸入器。
【請求項１２】
前記ジャバラ状の管の内側に、管の軸方向に溝が形成されていることを特徴とする請求項１１に記載のガスミスト吸入器。
【請求項１３】
前記ガスミスト生成手段が、前記吸入部材へガスミスト及びガスを供給するためのガスミスト供給管を有し、
該ガスミスト供給管に、逆止弁を設けることを特徴とする請求項１に記載のガスミスト吸入器。
【請求項１４】
前記ガスミスト生成手段が、予め滅菌処理されていることを特徴とする請求項１に記載のガスミスト吸入器。
【発明の詳細な説明】
【技術分野】
【０００１】
本発明は、酸素、炭酸ガス、又は酸素と炭酸ガスの混合ガスと液体を粉砕溶解させたガスミストを生体に吸入させるためのガスミスト吸入器に関する。
【背景技術】
【０００２】
従来から、炭酸ガス（二酸化炭素：ＣＯ２）は、水に溶けやすい（水溶性）だけでなく油にも溶けやすい（脂溶性）という性質を双方併せ持つおかげで、水と油の混じったような生体の皮膚及び粘膜に触れるだけでその皮下に浸透し、浸透部位の血管を拡張させて血液循環を改善する作用があることが知られている。そしてこの血行促進作用により、血圧降下、代謝の改善、疼痛物質や老廃物の排除促進等、様々な生理的効果を発揮する。また、抗炎症、抗菌作用も有している。このため、近年、炭酸ガスは医療目的のほか、健康増進、美容促進といった点からも広く注目を集めている。【０００３】
生体の組織中で炭酸ガスは、赤血球内のヘモグロビンに結合して運ばれた酸素を放出させる働きがある。炭酸ガス濃度の高いところでは、赤血球はより多くの酸素を放出する。このように、赤血球による細胞への酸素の供給は、主に炭酸ガスがコントロールしている。つまり、炭酸ガスなしでは、ヘモグロビンは酸素が結合したままの状態となり、細胞は酸素を受け取ることができなくなってしまう。このように、炭酸ガスは、細胞の活動の結果出てくる老廃物のように思われがちだが、実は体の中で非常に重要な役割を果たしている。【０００４】
また、昨今、高濃度酸素が新陳代謝の活性、血行促進、疲労回復、血圧の安定等に効果があることが広く知られるようになった。このほかに酸素は、酸化作用による殺菌、滅菌効果をも有している。【０００５】
ところで、喘息やアレルギー性鼻炎等、呼吸器系疾患の症状の緩和には、従来から吸入器や点鼻スプレーを用いた薬剤や蒸気等の経口、経鼻吸入が行われている。【０００６】
そこで本発明者は、炭酸ガス又は酸素を液体に効率よく溶解させてミスト化し、それらのガスの生理作用を生体に効果的に及ぼすガスミスト吸入器を開発している。例えば、ガスミスト生成器内に供給されたガスを二手に分岐させ、一方をガスミストの生成に用いると共に、他方をガスミストの生成部から排出部に向けて供給することで、ガスミスト生成器のガスミスト供給圧を上げたガスミスト吸入器をこれまでに提案している。
【発明の概要】
【発明が解決しようとする課題】
【０００７】
しかしながら、従来のガスミスト吸入器では、ガスミスト生成器内で分岐させたガスを、外付けのチューブ等でガスミストの生成部へと案内するものだった。このように、外付けのチューブ等を用いた場合は、組み立て時に手間がかかると共に、製造コストが高くなるという問題があった。また、ガス圧が高いとチューブ等の接続部からガスが漏出する可能性があった。【０００８】
そこで本発明は、上記状況に鑑み、ガスミストの供給圧を上昇させるためのガス導入部をガスミスト生成器と一体にして、構造の簡易化と低コスト化を実現できるガスミスト吸入器を提供することを目的とする。
【課題を解決するための手段】
【０００９】
本発明は、上記課題を解決するために、酸素、炭酸ガス、又は酸素と炭酸ガスの混合ガス（以下、「ガス」という）を供給するガス供給手段と、そのガス供給手段から供給されたガスと、内部に貯留された液体とを粉砕溶解させたミスト（以下、「ガスミスト」という）を生成し、前記ガスと混合した状態で供給するガスミスト生成手段と、そのガスミスト生成手段と接続され、前記ガスミストを生体に吸入させるための吸入口を有する吸入部材と、を備え、前記ガスミスト生成手段が、前記ガス供給手段との接続部と、その接続部からのガス流を分岐させる分岐部と、前記液体を貯留する液体貯留部と、前記分岐部で分岐された一方のガス流を吐出するノズルと、そのノズル先端に前記液体を送る吸液管と、前記ノズルが吐出するガス流によって吹き上げられた液体を衝突させてガスミストを生成する衝突部材と、生成された前記ガスミストに上方からガスを合流させる合流部と、前記分岐部で分岐された他方のガス流を前記合流部まで導くガス導入部と、生成された前記ガスミスト及びガスを収集し排出するガスミスト排出部と、を一体的に形成して備えることを特徴とするガスミスト吸入器を提供するものである。【００１０】
なお、本願においては、液体を粉砕し微細な液滴にして気体（酸素、炭酸ガス、又は酸素と炭酸ガスの混合ガス）と接触混合させることを、粉砕溶解という。【００１１】
ここで、本発明のガスミスト吸入器は、前記ガスミスト生成手段において、少なくとも前記液体貯留部を取り外し可能にして、他の液体貯留部と取替え可能に構成するのが好適である。【００１２】
また、前記ガスミスト生成手段は、外気を取り込むための通気孔を備えるのが好適である。あるいは、前記吸入部材が、外気を取り込むための開口をさらに有するようにしても良い。【００１３】
また、前記ガス供給手段は、カートリッジ式ガスボンベであるのが好適である。さらに、前記ガス供給手段は、ガス供給時間設定部、ガス供給圧調整部、ガス混合比設定部の何れか一つ又は複数を備えるのが好適である。【００１４】
また、前記ガスミスト生成手段は、複数の前記吸入部材にガスミストを供給するようにしても良い。【００１５】
次に、前記液体は、水、イオン水、オゾン水、生理食塩水、精製水、又は滅菌精製水の何れか一つ又は複数の組み合わせであるのが最適である。【００１６】
なお、前記ガスミスト生成手段から前記吸入部材内に供給される前記ミストの粒径は、１０μｍ以下であるのが好ましい。【００１７】
また、前記ガスミスト生成手段が、前記吸入部材内へガスミスト及びガスを供給するためのガスミスト供給管を有し、このガスミスト供給管が、管内に付着する液滴を除去するためのフィルターを備えるようにするのが良い。さらにこのガスミスト供給管の全部又は一部は、ジャバラ状の管から構成されるのが好適である。そして、そのジャバラ状の管の内側には、管の軸方向に溝が形成されるのが好ましい。また、このガスミスト供給管には、逆止弁を設けるのが良い。【００１８】
前記ガスミスト生成手段は、予め滅菌処理されているのが好適である。
【発明の効果】
【００１９】
本発明のガスミスト吸入器によれば、ガスミストの供給圧を上昇させるためのガス導入部をガスミスト生成器と一体に形成したため、構造が簡易化し使用時の手間を減らすと共に、製造コストを低減させることができる。また、ガスの漏出も防ぐことができる。
【図面の簡単な説明】
【００２０】
【図１】本発明の第１の実施形態に係るガスミスト吸入器の全体概略図である。
【図２】図１のガスミスト吸入器における、ガスミスト生成器の構造を示す断面模式図である。
【図３】図２の矢印Ａ方向から見たガスミスト生成器の断面斜視図である。
【図４】図２の矢印Ｂ方向から見たガスミスト生成器の断面斜視図である。
【図５】図１のガスミスト吸入器におけるガスミスト生成器の部分拡大断面図である。
【図６】本発明のガスミスト吸入器に用いる吸入部材の例を示す模式図である。
【図７】本発明のガスミスト生成器と吸入部材とを接続するガスミスト供給管の例を示す模式図である。
【図８】図７に示すガスミスト供給管の断面斜視図である。
【図９】本発明のガス供給手段及びガスミスト生成器をケースに収納した際の概観を示す模式図である。
【図１０】図９に示すケースの使用状態の例を示す模式図である。
【図１１】本発明の第２の実施形態に係るガスミスト吸入器の全体概略図である。
【図１２】本発明の第３の実施形態に係るガスミスト吸入器の全体概略図である。
【発明を実施するための形態】
【００２１】
以下、本発明の実施の形態について、図面を参照しながら詳細に説明する。
【００２２】
〔第１の実施形態〕
図１は、本発明の第１の実施形態に係るガスミスト吸入器の全体概略図である。図１に示すように、本実施形態のガスミスト吸入器は、酸素、炭酸ガス、又は酸素と炭酸ガスの混合ガス（以下、単にガスという）を供給するガス供給手段１０と、ガスミスト生成手段であるガスミスト生成器３０と、生成したガスミストを生体に吸入させる吸入部材としての吸入マスク５０と、から構成される。
【００２３】
ガス供給手段１０は、後述するガスミスト生成器３０の接続部３１にガスを供給する。本実施形態では、図１に示すように、携帯性に着目して小型のカートリッジ式のものを用いているが、カセットガスボンベ、業務用の高圧ガス容器等であっても良い。
【００２４】
ガスミスト生成器３０は、予め内部に液体を貯留して、ガス供給手段１０から供給されるガスの高速流により、液体とガスを粉砕溶解したガスミストを生成し、さらにガスを混合させてこれを吸入マスク５０に供給する。
【００２５】
図２は、ガスミスト生成器３０の構造を示す断面模式図である。また、図３は図２の矢印Ａ方向から見たガスミスト生成器３０の断面斜視図である。なお、図３において、液体貯留部３３の手前側の壁部と接続部３１等は、図示を省略している。また、図４は、図２の矢印Ｂ方向から見たガスミスト生成器３０の断面斜視図である。
【００２６】
これらの図に示すように、ガスミスト生成器３０は、ガス供給手段１０と接続される接続部３１と、接続部３１からのガス流を分岐させる分岐部３２と、液体を貯留する液体貯留部３３と、分岐部３２で分岐された一方のガス流を吐出するノズル３４と、ノズル３４先端に液体を送る吸液管３５Ａと、ノズル３４が吐出するガス流によって吹き上げられた液体を衝突させてガスミストを生成するバッフル（衝突部材）３６と、生成されたガスミストに上方からガスを合流させる合流部３７と、分岐部３２で分岐された他方のガス流を合流部３７まで導くガス導入部３８と、生成されたガスミストを収集し排出するガスミスト排出部３９とを備え、これらが一体に形成されている。
【００２７】
接続部３１には、ガス供給手段１０が図１に示すように直接、もしくはガスコード等を介して接続される。接続部３１の構造は、ガス供給手段１０やガス供給手段１０に連結されたガスコード等をワンタッチで接続可能なものであり、接続するガス供給手段１０に従って様々な形態を適用することができる。図１のようにガスボンベ等を直接接続する場合、接続部３１は内部にレギュレータを備えて、ガス供給手段１０から供給されるガスの流量を調節するようにしても良い。なお、図１では、接続部３１周辺に、ダイヤルスイッチ３０Ａ、残量ゲージ３０Ｂを設けた例を示している。ダイヤルスイッチ３０Ａは、回すことでガス供給のオン・オフ、及び供給量調節が可能である。残量ゲージ３０Ｂには、ガス供給手段１０のガス残量が表示される。
【００２８】
接続部３１を介してガス供給手段１０から供給されたガスは、分岐部３２で二手に分岐される。そして一方はノズル３４に、他方はガス導入部３８に向かう。ノズル３４に向かったガスは、ノズル先端開口３４Ａから吐出される。一方、ガス導入部３８に向かったガスは、合流部３７まで案内される。
【００２９】
液体貯留部３３には、予め製造段階で所定の液体が貯留され、密封される。そして、使用時にこれを開封してガスミストの吸入を行う。液体貯留部３３に貯留する液体は、水、イオン水、オゾン水、生理食塩水、精製水、滅菌精製水を用いるのが好適である。さらに、これらの液体に使用者の疾患、症状等に有効な薬剤を含有させても良い。薬剤とは、例えば、抗アレルギー剤、抗炎症剤、解熱鎮痛剤、抗真菌剤、抗インフルエンザウィルス剤、インフルエンザワクチン、ステロイド剤、抗ガン剤、血圧降下剤等が挙げられる。
【００３０】
液体貯留部３３の底部中央には、ノズル３４が配置されている。ノズル３４は、液体貯留部３３の底から隆起して、バッフル３６に向かって絞られる略円錐筒状に形成されている。ノズル３４の基端は分岐部３２の一方の分岐と連結しており、ノズル３４の先端開口３４Ａからはガスを吐出可能である。
【００３１】
吸液管３５Ａは、ノズル３４の外周面と、ノズル３４より一回り大きい略円錐筒状の吸液管形成部材３５との間に形成される。即ち、図２に示すように、ノズル３４に吸液管形成部材３５を被せるように配置することにより、ノズル３４の外周面と吸液管形成部材３５の内周面との間に吸液管３５Ａが形成される。図示は省略したが吸液管形成部材３５の基端（略円錐筒状部の下部）には微小な爪状突起部が設けられているため、吸液管形成部材３５の基端と液体貯留部３３の底面には隙間が形成されており、この隙間から液体貯留部３３に貯留された液体が吸液管３５Ａによって吸い上げられる。また、吸液管形成部材３５の先端部３５Ｂは、ノズル３４の先端開口３４Ａの近傍で開口しており、ノズル３４から吐出されるガス流に、吸液管３５Ａが吸い上げた液体が突き当たるように構成されている。
【００３２】
吸液管３５Ａが吸い上げた液体は、ノズル３４から吐出されたガス流に突き当たって吹き上げられ、ノズル３４の先端開口３４Ａに対向する位置に配置されたバッフル３６に衝突して粉砕され、ガスミストが生成される。ここでは、バッフル３６はバッフル支持部３６Ａによって合流部３７の内壁に固定されているが、吸液管形成部材３５等に固定されても良い。
【００３３】
一方、分岐部３２でガス導入部３８に分岐されたガスは、ガス導入部３８に沿って合流部３７に至る。ガス導入部３８は、ガスミスト生成器３０下部に設けられた分岐部３２から、ガスミスト生成器３０内側の側面を通って上部へ向かうガスの案内路であり、ガスミスト生成器３０に一体に形成されている。また、合流部３７は、ノズル３４の先端開口３４Ａ上でバッフル３６を囲うように配置される円筒状の部材からなり、ガス導入部３８と通じている。従って、分岐部３２で分岐されガス導入部３８へ導かれたガスは、合流部３７で生成されたガスミストと上方から合流し、円筒状の合流部３７の周囲に形成されたガスミスト排出部３９へとガスミストを押し出す。
【００３４】
ガス導入部３８から合流部３７へ供給されるガスは、ガス導入部３８の径のサイズによって供給圧の調節ができる。ガス供給圧の調節によって、ガスミスト生成器３０のガスミスト供給量も調節可能になる。また、ガスミスト濃度（ガス中のミスト濃度）やミストの粒子サイズもガス導入部３８の径サイズによって調節可能である。
【００３５】
ガスミスト排出部３９は、円筒状の合流部３７の周囲に形成される空間で、ガス導入部３８からのガスによって合流部３７から追いやられたガスミストを収集しガスと共に排出する。ガスミスト排出部３９に追いやられたガスミストは、ガスミスト生成器３０の上部に配置された開口である、ガスミスト排出口３９Ａから吸入マスク５０へと排出される。後述するが、ガスミスト排出口３９Ａと吸入マスク５０の間は、ガスミスト供給管によって接続するようにしても良い。
【００３６】
なお、ガスミスト生成器３０は、少なくとも液体貯留部３３を含んだ部位を取り外し可能にして、他の新たな液体貯留部３３と取替え可能に構成しても良い。即ち、ガスミスト生成器３０を組み立て式として、液体貯留部３３を含んだ取替え部を他の部位と組み立てることによって、ガス導入部３８が一体となったガスミスト生成器３０が完成する構成である。このように、液体貯留部３３を取替え可能にすることにより、液体貯留部３３を使い捨てにして、衛生を保つことができる。また、液体貯留部３３を取替え可能にすることにより、吸液管３５Ａに液体を補給するための構成を省き、装置のコンパクト化を実現することができる。
【００３７】
なお、合流部３７、又はガス導入部３８、もしくはガスミスト排出部３９の何れかには、外気を取り込むための通気孔を設けるようにしても良い。また、ガスミスト生成器３０は、製造段階で予め滅菌処理されているのが好ましい。
【００３８】
吸入マスク５０は、生成されたガスミストを使用者が吸入しやすいよう、使用者の呼吸器（ここでは鼻と口）を覆う形状を有する吸入部材である。この吸入マスク５０は、接続部５１によりガスミスト排出口３９Ａと接続され、使用者は吸入口５２からガスミストを吸入する。なお、吸入マスク５０には外気を取り込むための開口５３を設けるのが好適である。
【００３９】
以下、上記第１の実施形態のガスミスト吸入器を用いてガスミストの吸入を行う手順の一例について説明する。
【００４０】
まず、密封されたガスミスト生成器３０を開封して、ガス供給手段１０等と接続し、ダイヤルスイッチ３０ＡをＯＮにする。このダイヤルスイッチ３０Ａでは、ガスの流量を調整することができる。
【００４１】
ガスがノズル３４に供給されると、ノズル３４は図５に示すように先端に向かって狭窄されているため、ガスは流速を増して吐出される。液体はこのときの気流により発生する負圧で吸液管３５Ａを吸い上げられ、吸液管３５Ａの先端部３５Ｂでガスに吹き上げられてバッフル３６に衝突し、ガスミストが生成される。この衝突によって生成されるミストの粒径は微細であることが望ましく、具体的には１０μｍ以下が最適である。このように微細に粉砕されたミストは、マイナスイオンの効果を発揮することができる。
【００４２】
ガスはさらに分岐部３２を経てガス導入部３８から合流部３７へと案内されて、生成されたガスミストの排出圧を高くする。生成されたガスミストは、分岐部３２からのガスと混合されて、ガスミスト排出口３９Ａから吸入マスク５０へ排出される。吸入マスク５１に排出されたガスミスト及びガスは、吸入口５２から吸入することができる。
【００４３】
なお、上記では吸入部材として、鼻と口を覆うタイプの吸入マスク５０を使用する例を示したが、これ以外にも様々なタイプの吸入部材を用いることができる。図６に他の吸入部材の例を示す。
【００４４】
図６（ａ）は、口からのみ吸入を行う場合に用いるマウスピース型の口用マスク５０Ａである。接続部５１Ａでガスミスト排出口３９Ａと接続され、使用者は吸入口５２Ａからガスミスト及びガスを口で吸入する。なお、口用マスク５０Ａには、外気を取り込むための開口５３Ａを設けるのが好適である。この口用マスク５０Ａは特に、のどの症状の処置、治療に適している。
【００４５】
図６（ｂ）は、鼻からのみ吸入を行う場合に用いるノーズピース型の鼻用マスク５０Ｂである。接続部５１Ｂでガスミスト排出口３９Ｂと接続され、使用者は吸入口５２Ｂからガスミスト及びガスを鼻で吸入する。なお、鼻用マスク５０Ｂには、外気を取り込むための開口５３Ｂを設けるのが好適である。この鼻用マスク５０Ｂは特に、アレルギー性鼻炎等、鼻の症状の処置、治療に適している。
【００４６】
なお、上記ではガスミスト排出口３９Ａと吸入マスク５０の接続部５２が直接接続される例を示したが、ガスミスト排出口３９Ａと吸入マスク５０との間をチューブ等の管（ガスミスト供給管）で接続するようにしても良い。図７及び図８に、ガスミスト供給管の概要を示す。
【００４７】
ガスミスト供給管４１は、その全部又は一部を図７に示すような管径の太い柔軟なジャバラ状の管４１Ａで構成するのが好適である。ジャバラ状の管４１Ａは自在に曲がり、伸縮させることもできるため、使用者の動きを制限することもない。さらに、図８に示すように、ジャバラ状の管４１Ａの内側には、管の軸方向に溝４２が形成されている。このように管４１Ａの内側に溝４２を形成することで、ガスミスト供給管４１内を流れるガスミストが液化した際に、液滴を集めて回収しやすくすることができる。なお、図８ではジャバラ状の管４１Ａの内側を平滑に図示したが、外側同様にジャバラ状に形成しても良い。その場合も溝４２を作ることで、液化したガスミストの回収を図る。
【００４８】
ガスミスト供給管４１の内部には、ガスミスト及びガスの逆流を防止するための逆止弁を設けるようにする。また、ガスミスト供給管４１には、図示しないが管内に付着する余分な液滴を取り除くための液滴除去フィルターを設けるようにしても良い。
【００４９】
ガス供給手段１０として、図１のようにカートリッジ式ガスボンベ等の簡易なものを用いる場合、図９に示すように、ガス供給手段１０とガスミスト生成器３０を、ケース２０に収納したコンパクトな状態で使用することが可能である。また、ここではガス供給手段１０にレギュレータを設けている。図１０に、使用状態の例を示す。図１０（ａ）乃至（ｃ）に示すように、ケース２０にはスタンド２１、２２、フック２３等を設けて、直立させる、壁に吊るす等内部のガスミスト生成器３０をできるだけ立てた状態で使用する。このようにすることで、液化したガスミストの回収を容易にする。
【００５０】
〔第２の実施形態〕
上記第１の実施形態では、ガス供給手段１０として小型のカートリッジ式ガスボンベを用いる例を示したが、本実施形態では、据置型のガス供給装置を用いる例について示す。
【００５１】
図１１は、本発明の第２の実施形態に係るガスミスト吸入器の全体概略図である。なお、図１乃至図１０に示す第１の実施形態と同一の部分については、同一の符号を付して詳細な説明は省略する。
【００５２】
図１１に示すように、本実施形態のガスミスト吸入器は、ガス供給手段としてのガス供給装置１０Ａと、ガスミスト生成手段であるガスミスト生成器３０と、吸入部材としての吸入マスク５０とを有する。
【００５３】
ガス供給装置１０Ａは、ガスを所定圧でガスミスト生成器３０に供給するための据置型の装置である。その内部には、ガスボンベ（図示せず）等が内蔵されている。さらにコンプレッサを内蔵していても良い。もしくは、外部のガス供給源に接続されていても良い。
【００５４】
ガス供給装置１０Ａは、例えば図１１に示すように、電源スイッチ１１、酸素供給ＯＮ／ＯＦＦスイッチ１２、炭酸ガス供給ＯＮ／ＯＦＦスイッチ１３、ガス混合比設定部１４、ＯＦＦタイマー（ガス供給時間設定部）１５、ガス供給圧調整部１６を備えている。即ち、本実施形態ではガスミスト生成手段３０にはダイヤルスイッチや残量ゲージを設けず、ガス供給装置１０Ａで種々の調整を行うように構成している。また、ガス供給装置１０Ａとガスミスト生成器３０とは、ガス供給管６１で接続されている。
【００５５】
ガス混合比設定部１４は、炭酸ガスと酸素の混合比を任意に設定できるように構成されている。これにより、例えば喘息や疲労回復の目的で使用する場合には酸素の混合比を多めに設定したり、呼吸器の血流を促進する目的で使用する場合には炭酸ガスの混合比を多めに設定したりと、使用者の目的に自由に対応することが可能となる。また、ＯＦＦタイマー１５は、ガスの供給時間を設定するためのもので、設定した時間が経過すると自動的にガスの供給を停止させる。また、ガス供給圧調整部１６では、ガスの供給圧を任意に設定することができる。これにより、ガスの供給時間や供給圧の設定が可能なため、その使用目的の範囲を広範にすることができる。
【００５６】
〔第３の実施形態〕
上記第１、第２の実施形態では、一つのガスミスト生成器３０に対して、一つの吸入部材５０を接続する例を示したが、本実施形態では、複数の吸入部材を接続する構成について説明する。
【００５７】
図１２は、本発明の第３の実施形態に係るガスミスト吸入器の全体概略図である。なお、図１乃至図１１に示す実施形態と同一の部分については、同一の符号を付して詳細な説明は省略する。
【００５８】
図１２に示すように、本実施形態のガスミスト吸入器は、ガス供給手段としてのガス供給装置１０Ａと、ガスミスト生成手段であるガスミスト生成器３０と、複数の吸入部材５０（ここでは例として、三つの吸入マスクを図示）とを有する。
【００５９】
本実施形態では、ガスミスト生成器３０と三つの吸入マスク５０との間に、複数（ここでは三つ）に分岐するガスミスト供給管４３を設ける。これにより、一つがガス供給装置１０Ａ及びガスミスト生成器３０に対して、複数の吸入マスク５０を接続することが可能となる。このとき、ガス供給装置１０Ａでは、複数の吸入マスク５０の各々でガスミストの吸入が最適に行えるよう、ガス供給圧調整部１６によりガスの供給圧を調整する。
【００６０】
なお、ここでは複数に分岐したガスミスト供給管４３を用いる例を図示しているが、ガスミスト生成器３０のガスミスト排出部３９に、複数の排出口３９Ａを設けて各々にガスミスト供給管４１を接続しても良いし、別途複数に分岐する管を通常のガスミスト供給管４１の途中に設けることによってガスミスト及びガスを複数の吸入部材に供給するようにしても良い。
【００６１】
上記のように構成したため、本発明のガスミスト吸入器によれば、ガスミストの供給圧を上昇させるためのガス導入部をガスミスト生成器と一体に形成することにより、構造が簡易化し使用時の手間を減らすと共に、製造コストを低減させることができる。また、ガスの漏出も防ぐことができる。
【００６２】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００６３】
本発明は、酸素、炭酸ガス、又は酸素と炭酸ガスの混合ガスと液体を粉砕溶解させたガスミストを生体に吸入させるためのガスミスト吸入器に関し、産業上の利用可能性を有する。
【符号の説明】
【００６４】
１０    ガス供給手段
１０Ａ    ガス供給装置
１１    電源スイッチ
１２    酸素供給ＯＮ／ＯＦＦスイッチ
１３    炭酸ガス供給ＯＮ／ＯＦＦスイッチ
１４    ガス混合比設定部
１５    ＯＦＦタイマー（ガス供給時間設定部）
１６    ガス供給圧調整部
２０    ケース
２１、２２    スタンド
２３    フック
３０    ガスミスト生成器
３０Ａ    ダイヤルスイッチ
３０Ｂ    残量ゲージ
３１    接続部
３２    分岐部
３３    液体貯留部
３４    ノズル
３４Ａ    ノズル先端開口
３５    吸液管形成部材
３５Ａ    吸液管
３５Ｂ    吸液管形成部材（吸液管）先端部
３６    バッフル（衝突部材）
３６Ａ    バッフル支持部
３７    合流部
３８    ガス導入部
３９    ガスミスト排出部
３９Ａ    ガスミスト排出口
４１    ガスミスト供給管
４１Ａ    ジャバラ状の管
４２    溝
４３    ガスミスト供給管
５０    吸入マスク（吸入部材）
５０Ａ    口用マスク
５０Ｂ    鼻用マスク
５１、５１Ａ、５１Ｂ    接続部
５２、５２Ａ、５２Ｂ    吸入口
５３、５３Ａ、５３Ｂ    開口
６１    ガス供給管
【図１】
2013065776.tif 000003
【図２】
2013065776.tif 000004
【図３】
2013065776.tif 000005
【図４】
2013065776.tif 000006
【図５】
2013065776.tif 000007
【図６】
2013065776.tif 000008
【図７】
2013065776.tif 000009
【図８】
2013065776.tif 000010
【図９】
2013065776.tif 000011
【図１０】
2013065776.tif 000012
【図１１】
2013065776.tif 000013
【図１２】
2013065776.tif 000014
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
酸素、炭酸ガス、又は酸素と炭酸ガスの混合ガス（以下、「ガス」という）を供給するガス供給手段と、
該ガス供給手段から供給されたガスと、内部に貯留された液体とを粉砕溶解させたミスト（以下、「ガスミスト」という）を生成し、前記ガスと混合した状態で供給するガスミスト生成手段と、
該ガスミスト生成手段と接続され、前記ガスミストを生体に吸入させるための吸入口を有する吸入部材と、を備え、
前記ガスミスト生成手段は、
前記ガス供給手段との接続部と、
前記液体を貯留する液体貯留部と、
前記接続部からのガス流を分岐させる分岐部と、
前記分岐部からの一方の前記ガス流を吐出するノズルと、
前記ノズルの前記ガス流の吐出端及び前記液体貯留部に貯留されている前記液体の液面に対向して配置される衝突部材と、
前記ノズルが前記ガス流を吐出することによって生じる負圧により前記液体を前記液体貯留部から吸い上げて前記衝突部材に向けて送出する吸液管と、
前記衝突部材を囲う合流部と、
前記衝突部材を挟み前記ノズルと対向する側から前記分岐部からの他方の前記ガス流を前記合流部に導くガス導入部と、
前記衝突部材と前記液面との間の空間から前記ガスミスト及び前記ガスを収集して前記吸入部材に排出するガスミスト排出部と、
を一体的に形成して備えることを特徴とするガスミスト吸入器。
【請求項２】
前記ガスミスト生成手段において、少なくとも前記液体貯留部を取り外し可能にして、他の液体貯留部と取替え可能に構成することを特徴と
する請求項１に記載のガスミスト吸入器。
【請求項３】
前記ガスミスト生成手段が、外気を取り込むための通気孔を備えることを特徴とする請求項１又は２に記載のガスミスト吸入器。
【請求項４】
前記吸入部材が、外気を取り込むための開口をさらに有することを特徴とする請求項１乃至３の何れか一項に記載のガスミスト吸入器。
【請求項５】
前記ガス供給手段が、カートリッジ式ガスボンベであることを特徴とする請求項１乃至４の何れか一項に記載のガスミスト吸入器。
【請求項６】
前記ガス供給手段が、ガス供給時間設定部、ガス供給圧調整部、ガス混合比設定部の何れか一つ又は複数を備えることを特徴とする請求項１乃至５の何れか一項に記載のガスミスト吸入器。
【請求項７】
前記ガスミスト生成手段が、複数の前記吸入部材にガスミストを供給することを特徴とする請求項６に記載のガスミスト吸入器。
【請求項８】
前記液体は、水、イオン水、オゾン水、生理食塩水、精製水、又は滅菌精製水の何れか一つ又は複数の組み合わせであることを特徴とする請求項１に記載のガスミスト吸入器。
【請求項９】
前記ガスミスト生成手段から前記吸入部材内に供給される前記ミストの粒径が、１０μｍ以下であることを特徴とする請求項１に記載のガスミスト吸入器。
【請求項１０】
前記ガスミスト生成手段が、前記吸入部材へガスミスト及びガスを供給するためのガスミスト供給管を有し、
該ガスミスト供給管が、管内に付着する液滴を除去するためのフィルターを備えることを特徴とする請求項１に記載のガスミスト吸入器。
【請求項１１】
前記ガスミスト生成手段が、前記吸入部材へガスミスト及びガスを供給するためのガスミスト供給管を有し、
該ガスミスト供給管の全部又は一部がジャバラ状の管から構成されることを特徴とする請求項１に記載のガスミスト吸入器。
【請求項１２】
前記ジャバラ状の管の内側に、管の軸方向に溝が形成されていることを特徴とする請求項１１に記載のガスミスト吸入器。
【請求項１３】
前記ガスミスト生成手段が、前記吸入部材へガスミスト及びガスを供給するためのガスミスト供給管を有し、
該ガスミスト供給管に、逆止弁を設けることを特徴とする請求項１に記載のガスミスト吸入器。
【請求項１４】
前記ガスミスト生成手段が、予め滅菌処理されていることを特徴とする請求項１に記載のガスミスト吸入器。
【手続補正２】
【補正対象書類名】明細書
【補正対象項目名】０００９
【補正方法】変更
【補正の内容】
【０００９】
本発明は、上記課題を解決するために、酸素、炭酸ガス、又は酸素と炭酸ガスの混合ガス（以下、「ガス」という）を供給するガス供給手段と、該ガス供給手段から供給されたガスと、内部に貯留された液体とを粉砕溶解させたミスト（以下、「ガスミスト」という）を生成し、前記ガスと混合した状態で供給するガスミスト生成手段と、該ガスミスト生成手段と接続され、前記ガスミストを生体に吸入させるための吸入口を有する吸入部材と、を備え、前記ガスミスト生成手段は、前記ガス供給手段との接続部と、前記液体を貯留する液体貯留部と、前記接続部からのガス流を分岐させる分岐部と、前記分岐部からの一方の前記ガス流を吐出するノズルと、前記ノズルの前記ガス流の吐出端及び前記液体貯留部に貯留されている前記液体の液面に対向して配置される衝突部材と、前記ノズルが前記ガス流を吐出することによって生じる負圧により前記液体を前記液体貯留部から吸い上げて前記衝突部材に向けて送出する吸液管と、前記衝突部材を囲う合流部と、前記衝突部材を挟み前記ノズルと対向する側から前記分岐部からの他方の前記ガス流を前記合流部に導くガス導入部と、前記衝突部材と前記液面との間の空間から前記ガスミスト及び前記ガスを収集して前記吸入部材に排出するガスミスト排出部と、を一体的に形成して備えることを特徴とするガスミスト吸入器を提供するものである。
【国際調査報告】
2013065776.tif 000015
2013065776.tif 000016
2013065776.tif 000017